(57)【要約】【課題】  ナースコール親機がどのように設置されても、勤務時間帯によって異なる色となる枠線を表示装置の表示画面上に表示する際に、文字の表示部分をできるだけ犠牲にしないようにしつつ、医療従事者が枠線を把握しやすくする。【解決手段】  表示画面の角度を検出するための角度検出部４および勤務時間帯を判定する勤務時間帯判定部５をナースコール親機１に取り付け、表示画面の上下方向の角度が略鉛直である場合には、勤務時間帯によって異なる色で構成される枠線のうち上方の枠線を太くした表示画面を表示し、表示画面が略水平である場合には、枠線のうち下方の枠線を太くした表示画面を表示しているので、ボード形では、上方の枠線の幅が太く表示され、表示画面を斜め上から見下ろしても全ての枠線が見えるようになり、卓上形では、下方の枠線の幅が太く表示され、表示画面を下方から見ても全ての枠線が見えるようになる。【選択図】  図１
2011110348.tif 000002
【特許請求の範囲】
【請求項１】
四方に形成された枠に対して奥まった位置に配置された表示画面に各種情報を表示する表示部と、
前記表示画面の角度を検出する角度検出部と、
現在の勤務時間帯を判定する勤務時間帯判定部と、
前記角度検出部により検出された前記表示画面の上下方向の角度が略鉛直であるか否か、および、前記角度検出部により検出された前記表示画面の角度が略水平であるか否かを判定するとともに、前記角度が略鉛直であると判断した場合には、前記勤務時間帯判定部により判定された勤務時間帯によって異なる色で前記枠に沿った枠線を形成し、そのうち上方の枠線の幅を他の枠線の幅よりも太くした画像を生成して、前記角度が略水平であると判断した場合には、前記勤務時間帯判定部により判定された勤務時間帯によって異なる色で前記枠に沿った枠線を形成し、そのうち下方の枠線の幅を他の枠線の幅よりも太くした画像を生成する親機制御部と、
前記親機制御部により生成された画像を前記表示部に表示する表示制御部と、
を備えたナースコール親機。
【発明の詳細な説明】
【技術分野】
【０００１】
本発明は、患者から看護師などの医療従事者への呼び出し、および、医療従事者から患者への呼び出しを行うナースコールシステムにおけるナースコール親機に関する。
【背景技術】
【０００２】
一般的に、ナースコールシステムは、呼出ボタンを有するナースコール子機を各病室内の各病床の近傍に設置するとともに、看護師などの医療従事者（以下、単に医療従事者と記載する）が常駐するナースセンターにナースコール親機を設置している。そして、患者がナースコール子機の呼出ボタンを操作した場合に、ナースコール子機からナースコール親機へ呼出信号を出力し、ナースコール親機にて呼び出しの発生を報知するように構成されている。ここで、ナースコールシステムは、病院だけではなく、介護施設などでも使用される。
【０００３】
ナースコール親機には、ＬＥＤ（light-emitting  diode）などのランプと患者氏名を表示する表示欄とを備えた選局部を患者の数に応じて組み合わせたボード形のものと、液晶ディスプレイなどの表示装置上に患者氏名や呼び出しを報知するためのポップアップ画面を表示するコンピュータ形のものが存在している（例えば、特許文献１など）。また、ボード形のナースコール親機に液晶ディスプレイを設けることも知られている（例えば、特許文献２など）。また、一般的な電話機のように、卓上で使用されるナースコール親機（以下、卓上形のナースコール親機と記載する）に液晶ディスプレイを設けることも知られている。
【０００４】
ところで、病院などの施設では、２４時間体制の看護や介護が行われる場合が多く、それを日勤および夜勤の２つの勤務時間帯に分けて、医療従事者をそれぞれの勤務時間帯に振り分けることが行われている。なお、２４時間を日勤、準夜勤、夜勤の３つの勤務時間帯に分けることも行われている。このように、医療従事者は複数の勤務時間帯の何れかで働くことになるが、医療従事者が本来の業務から意識をそらさずに現在の勤務時間帯を把握できることが望ましい。
【０００５】
そのため、複数の勤務者が使用する表示装置の画面上の背景色及び文字色の少なくとも一方の属性を互いに異なるように設定する技術が知られている（例えば、特許文献３など）。特許文献３に記載の技術によれば、表示装置は、６時から１８時の間には、背景色「白」、文字色「黒」を画面上に表示し、１８時から６時の間には、背景色「黒」、文字色「黒」を画面上に表示している。また、勤務時間帯を３つに分けた場合には、表示装置は、６時から１４時の間には、背景色「茶」、文字色「緑」を画面上に表示し、１４時から２２時の間には、背景色「水色」、文字色「黄色」を画面上に表示して、２２時から６時の間には、背景色「黒」、文字色「白」を画面上に表示している。
【先行技術文献】
【特許文献】
【０００６】
【特許文献１】特開２００８−９９７８５号公報
【特許文献２】特開２０００−４３０２号公報
【特許文献３】特開平１０−３３３６５２号公報
【発明の概要】
【発明が解決しようとする課題】
【０００７】
ところで、特許文献３の技術では、文字が常に読みやすくなるように背景色に合わせて文字色を変更している。そのため、文字色を変更するための処理工程や文字色の設定を記憶する記憶領域が必要になってしまうという問題があった。これを解決するために、図４に示すように、表示装置の枠内にある表示画面の枠線の色のみを変更することが考えられるが、表示画面に多くの文字を表示させるためには、枠線をできるだけ細くする必要がある。しかしながら、表示装置をボード形のナースコール親機に設置した場合には、表示画面が表示装置の枠よりも奥まった位置に存在し、医療従事者の目線よりも低い壁面と略同一面上に存在するため、医療従事者が表示画面を斜め上から見下ろすことで、図５（ａ）に示すように、医療従事者は枠線の上部が見えなくなってしまうという問題があった。また、表示装置を卓上形のナースコール親機に設置した場合には、表示画面が卓上の面と略同一面上に存在するため、医療従事者が表示画面を下方から見ることで、図５（ｂ）に示すように、医療従事者は枠線の下部が見えなくなってしまうという問題があった。
【０００８】
本発明は、このような問題を解決するために成されたものであり、ナースコール親機がボード形であっても卓上形であっても、勤務時間帯によって異なる色となる枠線を表示装置の表示画面上に表示する際に、文字の表示部分をできるだけ犠牲にしないようにしつつ、医療従事者が枠線を把握しやすくすることを目的とする。
【課題を解決するための手段】
【０００９】
上述した課題を解決するために、本発明では、ナースコール親機の表示画面の角度を検出し、表示画面の上下方向の角度が略鉛直である場合には、勤務時間帯によって異なる色となる枠線のうち上方の枠線を太くして表示するとともに、表示画面が略水平である場合には、勤務時間帯によって異なる色となる枠線のうち下方の枠線を太くして表示するようにしている。
【発明の効果】
【００１０】
上記のように構成した本発明によれば、ナースコール親機をボード形として使用した場合には、表示画面の上下方向の角度が略鉛直であると判断され、上方の枠線の幅が太く表示されるので、医療従事者が表示画面を斜め上から見下ろしても全ての枠線が見えるようになる。そのため、医療従事者は枠線を容易に把握することができ、本来の業務から意識をそらさずに勤務時間帯を把握することができる。また、ナースコール親機を卓上形として使用した場合には、表示画面が略水平であると判断され、下方の枠線の幅が太く表示されるので、医療従事者が下方から表示画面を見ても全ての枠線が見えるようになる。そのため、医療従事者は枠線を容易に把握することができ、本来の業務から意識をそらさずに勤務時間帯を把握することができる。また、その他の枠線については、細く表示されるので、文字の表示部分をできるだけ犠牲にしないようにすることができる。
【図面の簡単な説明】
【００１１】
【図１】本実施形態によるナースコール親機の構成例を示すブロック図である。
【図２】本実施形態によるナースコール親機の表示部に表示される表示画面の例を示す図である。
【図３】本実施形態によるナースコール親機の表示部に表示される表示画面を医療従事者が見た例を示す図である。
【図４】従来のナースコール親機に表示される表示画面の例を示す図である。
【図５】従来のナースコール親機に表示される表示画面を医療従事者が見た例を示す図である。
【発明を実施するための形態】
【００１２】
以下、本発明の一実施形態を図面に基づいて説明する。図１は、本実施形態によるナースコール親機１の構成例を示すブロック図である。図１に示すナースコール親機１は、医療従事者が常駐するナースセンタなどに設置され、患者の病床近傍に設置されているナースコール子機（図示せず）に接続されている。また、ナースコール親機１は、親機制御部２、親機インターフェース３、角度検出部４、勤務時間帯判定部５、記憶部６、表示制御部７、表示部８を備えて構成されている。
【００１３】
親機制御部２は、ナースコール親機１の各構成要素を制御するためのものであり、ＣＰＵ（Central Processing Unit）などにより構成されている。親機インターフェース３は、ナースコール親機１とナースコール子機とを接続して通信を行うためのものである。ここで、ナースコール親機１とナースコール子機との間の通信は、有線や無線によって行われる。また、ナースコール親機１とナースコール子機との間には、ナースコール子機からの呼び出しを表示したり、病室内の患者の氏名などを表示したりする廊下灯（図示せず）が接続されている。また、ナースコール親機１とナースコール子機との間には、ナースコール親機１およびナースコール子機間の通話やデータの送受信に関する制御を行う制御機（図示せず）が接続されている。また、ナースコール子機がナースコール親機１に対して呼び出しを行う場合の構成および動作については、周知のナースコールシステムの技術と同様であるため、説明を省略する。
【００１４】
角度検出部４は、後述する表示部８の表示画面の角度を検出するためのものであり、傾斜センサーなどにより構成されている。ここで、傾斜センサーの具体的な構成は周知であるため、説明を省略する。親機制御部２は、角度検出部４が検出した角度に基づいて、表示部８の表示画面の上下方向の角度が略鉛直であるか、および、表示部７の表示画面が略水平であるかを判断する。
【００１５】
勤務時間帯判定部５は、現在の勤務時間帯がどの勤務時間帯であるかを判定するためのものであり、時計（図示せず）に接続されている。ここで、勤務時間帯判定部５は、時計から出力される時間情報を取得し、その時間情報が６時から１８時までの間にある場合には日勤との勤務時間帯情報を生成して親機制御部２に出力し、１８時から６時までの間にある場合には夜勤との勤務時間帯情報を生成して親機制御部２に出力する。なお、本実施形態では、勤務時間帯判定部５は、日勤および夜勤の何れかであるかを判定しているが、これに限定されない。例えば、日勤、夜勤に加えて準夜勤を判定できるようにしても良い。また、本実施形態では、勤務時間帯判定部５は、時計から時間情報を取得し、勤務時間帯を判定しているが、これに限定されない。例えば、日勤／夜勤切替操作部（図示せず）の操作に従って、日勤や夜勤を判定するようにしても良い。
【００１６】
記憶部６は、メモリやハードディスクドライブなどの記憶装置により構成されており、表示部８の表示画面に表示される画像および文字の各情報を記憶している。ここで、記憶部６に記憶される画像情報としては、表示画面の枠内に表示される枠線を含む背景画像があり、枠線のうち上方の枠線の太さが他の枠線よりも太く、枠線の色が日勤を示す暖色系の色（例えば、オレンジ色など）である画像情報や、枠線のうち上方の枠線の太さが他の枠線よりも太く、枠線の色が夜勤を示す寒色系の色（例えば、青色など）である画像情報、枠線のうち下方の枠線の太さが他の枠線よりも太く、枠線の色が日勤を示す暖色系の色である画像情報、枠線のうち下方の枠線の太さが他の枠線よりも太く、枠線の色が夜勤を示す寒色系の色である画像情報が含まれる。親機制御部２は、角度検出部４および勤務時間帯判定部５からの情報に従って、記憶部６から画像情報および文字情報を取得して表示画面を生成する。表示制御部７は、親機制御部２が生成した表示画面を表示部８に表示する。表示部８は、液晶ディスプレイなどにより構成されており、ナースコール親機１の筐体の正面に設置される。また、表示部８は、表示制御部７により親機制御部２が生成した表示画面を表示する。
【００１７】
ナースコール親機１の筐体が壁面などに設置され、ボード形として使用される場合、親機制御部２は、角度検出部４が検出した角度に基づいて、表示画面の上下方向の角度が略鉛直であると判断する。一方、勤務時間帯判定部５は、現在の勤務時間帯がどの勤務時間帯であるかを判定しており、例えば、現在の勤務時間帯が日勤であると判断した場合には、勤務時間帯判定部５は、日勤という勤務時間帯情報を親機制御部２に出力する。親機制御部２は、表示画面の上下方向の角度が略鉛直であると判断し、日勤であるという勤務時間帯情報を入力するので、枠線のうち上方の枠線の太さが他の部分の枠線よりも太く、枠線の色が日勤を示す暖色系の色である画像情報を記憶部６から取得するとともに、表示画面を構成する文字情報を記憶部６から取得して表示画面を生成する。表示制御部７は、親機制御部２が生成した図２（ａ）に示すような表示画面を表示部８に表示する。
【００１８】
また、例えば、現在の勤務時間帯が夜勤であると判断した場合には、勤務時間帯判定部５は、夜勤という勤務時間帯情報を親機制御部２に出力する。親機制御部２は、表示画面の上下方向の角度が略鉛直であると判断し、夜勤であるという勤務時間帯情報を入力するので、枠線のうち上方の枠線の太さが他の部分の枠線よりも太く、枠線の色が夜勤を示す寒色系の色である画像情報を記憶部６から取得するとともに、表示画面を構成する文字情報を記憶部６から取得して表示画面を生成する。表示制御部７は、親機制御部２が生成した図２（ａ）に示すような表示画面を表示部８に表示する。これらの表示画面を医療従事者が見た場合、医療従事者が表示画面を斜め上から見下ろすことになるので、医療従事者は、図３（ａ）に示すように全ての枠線が見えることになる。
【００１９】
これに対して、ナースコール親機１の筐体が卓上などに設置され、卓上形として使用される場合、親機制御部２は、角度検出部４が検出した角度に基づいて、表示画面の角度が略水平であると判断する。一方、勤務時間帯判定部５は、現在の勤務時間帯がどの勤務時間帯であるかを判定しており、例えば、現在の勤務時間帯が日勤であると判断した場合には、勤務時間帯判定部５は、日勤という勤務時間帯情報を親機制御部２に出力する。親機制御部２は、表示画面の角度が略水平であると判断し、日勤であるという勤務時間帯情報を入力するので、枠線のうち下方の枠線の太さが他の部分の枠線よりも太く、枠線の色が日勤を示す暖色系の色である画像情報を記憶部６から取得するとともに、表示画面を構成する文字情報を記憶部６から取得して表示画面を生成する。表示制御部７は、親機制御部２が生成した図２（ｂ）に示すような表示画面を表示部８に表示する。
【００２０】
また、例えば、現在の勤務時間帯が夜勤であると判断した場合には、勤務時間帯判定部５は、夜勤という勤務時間帯情報を親機制御部２に出力する。親機制御部２は、表示画面の角度が略水平であると判断し、夜勤であるという勤務時間帯情報を入力するので、枠線のうち下方の枠線の太さが他の部分の枠線よりも太く、枠線の色が日勤を示す寒色系の色である画像情報を記憶部６から取得するとともに、表示画面を構成する文字情報を記憶部６から取得して表示画面を生成する。表示制御部７は、親機制御部２が生成した図２（ｂ）に示すような表示画面を表示部８に表示する。これらの表示画面を医療従事者が見た場合、医療従事者が表示画面を下方から見ることになるので、医療従事者は、図３（ｂ）に示すように全ての枠線が見えることになる。
【００２１】
以上詳しく説明したように、本実施形態によれば、ナースコール親機１の表示画面の角度を検出するための角度検出部４および勤務時間帯を判定する勤務時間帯判定部５をナースコール親機１に取り付け、角度検出部４が検出した表示画面の上下方向の角度が略鉛直であると判断した場合には、親機制御部２は、勤務時間帯判定部５によって判定された勤務時間帯によって異なる色で構成される枠線のうち上方の枠線を太くした表示画面を生成し、表示制御部７は親機制御部２が生成した表示画面を表示部８に表示している。また、角度検出部４が検出した表示画面が略水平であると判断した場合には、親機制御部２は、勤務時間帯判定部５によって判定された勤務時間帯によって異なる色で構成される枠線のうち下方の枠線を太くした表示画面を生成し、表示制御部７は親機制御部２が生成した表示画面を表示部８に表示している。
【００２２】
これにより、ナースコール親機１をボード形として使用した場合には、表示画面の上下方向の角度が略鉛直であると判断され、上方の枠線の幅が太く表示されるので、医療従事者が表示画面を斜め上から見下ろしても全ての枠線が見えるようになる。そのため、医療従事者は枠線を容易に把握することができ、本来の業務から意識をそらさずに勤務時間帯を把握することができる。また、ナースコール親機１を卓上形として使用した場合には、表示画面が略水平であると判断され、下方の枠線の幅が太く表示されるので、医療従事者が下方から表示画面を見ても全ての枠線が見えるようになる。そのため、医療従事者は枠線を容易に把握することができ、本来の業務から意識をそらさずに勤務時間帯を把握することができる。また、その他の枠線については、細く表示されるので、文字の表示部分をできるだけ犠牲にしないようにすることができる。
【００２３】
なお、前述した実施形態では、親機制御部２が表示画面を生成しているが、これに限定されない。例えば、表示制御部７が表示画面の生成を行うようにしても良い。
【００２４】
また、前述した実施形態では、表示画面の上下方向の角度が略鉛直であると判断された場合に、上方の枠線を太くし、表示画面の角度が略水平であると判断された場合に、下方の枠線を太くしているが、これに限定されない。例えば、枠線の太さを太めにしておき、表示画面の上下方向の角度が略鉛直であると判断された場合に、下方の枠線を細くし、表示画面の角度が略水平であると判断された場合に、上方の枠線を細くするようにしても良い。
【００２５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２６】
１    ナースコール親機
２    親機制御部
３    親機インターフェース
４    角度検出部
５    勤務時間帯判定部
６    記憶部
７    表示制御部
８    表示部
【図１】
2011110348.tif 000003
【図２】
2011110348.tif 000004
【図３】
2011110348.tif 000005
【図４】
2011110348.tif 000006
【図５】
2011110348.tif 000007